(57)【要約】【課題】  ヒューズの着脱が容易であるとともに、構造が簡単で製造コストを低減させることができるコネクタを提供する。【解決手段】  相互に連結・分割可能な２つの分割コネクタ２、５０からなり、各分割コネクタ２、５０に相手方分割コネクタ５０、２と電気的に相互に接続されるコンタクト３５、６５がそれぞれ設けられる。両コンタクト３５、６５にヒューズ４５のリード部４７、４８をそれぞれ挿入し、ヒューズ４５のヒューズ本体４６を両分割コネクタ２、５０間に位置し、両分割コネクタ２、５０を相互に連結することにより、両分割コネクタ２、５０間にヒューズ４５が装着され、ヒューズ４５を介して両コンタクト３５、６５間が電気的に接続される。【選択図】      図１
2007027049.tif 000002
【特許請求の範囲】
【請求項１】
相互に連結・分割可能な２つの分割コネクタからなり、各分割コネクタに相手方分割コネクタと電気的に相互に接続されるコンタクトが設けられるコネクタであって、
前記両分割コネクタの両コンタクト間にヒューズを着脱自在に設け、前記両分割コネクタを相互に連結することにより、前記ヒューズが前記両コンタクトに電気的に接続されることを特徴とするコネクタ。
【請求項２】
前記ヒューズは、前記一方の分割コネクタの空間内、前記他方の分割コネクタの空間内、又は前記両分割コネクタ間に形成される空間内に装着されるヒューズ本体と、該ヒューズ本体から引き出されて前記各コンタクトにそれぞれ接続される一対のリード部とからなることを特徴とする請求項１に記載のコネクタ。
【請求項３】
前記各コンタクトには、バネ性を有するリード支持穴が設けられ、該リード支持穴内に前記リード部が着脱自在に接続されることを特徴とする請求項２に記載のコネクタ。
【請求項４】
前記各分割コネクタには、前記各コンタクトを支持する絶縁材からなる支持部材がそれぞれ設けられ、前記両分割コネクタを互いに連結したときに、前記両支持部材間で前記ヒューズ本体が支持されるとともに、何れか一方の分割コネクタの支持部材の先端部が何れか他方の分割コネクタの内部に嵌合されることを特徴とする請求項１から３の何れかに記載のコネクタ。
【請求項５】
前記一方の分割コネクタの軸方向の端面には被係合部が設けられるとともに、前記他方の分割コネクタの軸方向の端面には前記被係合部と相互に係合可能な係合部が設けられていることを特徴とする請求項１から４の何れかに記載のコネクタ。
【請求項６】
前記一方の分割コネクタの軸方向の端面には、周方向に向かって所定の間隔ごとに複数の被係合部が設けられるとともに、前記他方の分割コネクタの軸方向の端面には、前記複数の被係合部のうちの何れかの被係合部と係合可能な少なくとも１つの係合部が設けられていることを特徴とする請求項１から４何れかに記載のコネクタ。
【発明の詳細な説明】
【技術分野】
【０００１】
本発明は、ケーブル同士の接続、ケーブルと電子機器との接続等に利用されるコネクタに関し、特に、過電流保護機能を備えたコネクタに関する。
【背景技術】
【０００２】
ケーブル同士の接続、ケーブルと電子機器との接続等に利用されるコネクタには種々のタイプのものがあり、例えば、一方のケーブルに接続されるレセプタクルと、他方のケーブルに接続されるとともに、レセプタクルと相互に着脱自在なプラグと、レセプタクルとプラグとの間に装着されて、両ケーブル間に過電流が流れた場合に両ケーブル間を開放させるヒューズとを備えたコネクタが知られている。
【０００３】
この場合、レセプタクルは、ステンレス等の金属からなる略筒状のシェルと、シェルの内部に固定される絶縁材からなるインシュレータと、インシュレータに支持される導電性材からなるコンタクトと、シェル内に挿入されてコンタクトに半田付けにより接続されるリード線とから構成され、インシュレータにヒューズ用の孔が設けられている。
【０００４】
また、プラグは、ステンレス等の金属からなる略筒状のシェルと、シェルの内部に固定される絶縁材からなるインシュレータと、インシュレータに支持される導電性材からなるコンタクトと、シェル内に挿入されてコンタクトに半田付けにより接続されるリード線とから構成され、インシュレータにヒューズをレセプタクルのヒューズ用の孔内に保持するための付勢手段が設けられている（例えば、特許文献１参照。）。
【特許文献１】特開２０００−２２３２１９号公報
【発明の開示】
【発明が解決しようとする課題】
【０００５】
ところで、上記のような構成のコネクタにあっては、レセプタクルのインシュレータにヒューズ用の孔を設けて、このヒューズ用孔の底部にコンタクトの端部を露出させるとともに、プラグのインシュレータに付勢手段用の孔を設けて、この孔内にバネ、鋼球、スイッチ等からなる付勢手段を設け、この孔の底部にプラグのコンタクトを露出させているため、ヒューズを保持するプラグ及びレセプタクルの部分の構造が非常に複雑になり、製造に手間がかかり、製品としてのコストが高くなってしまう。
【０００６】
本発明は、上記のような従来の問題に鑑みなされたものであって、構造を簡素化することによって製造に要する手間を削減し、これにより製品としてのコストを低減させることのできるヒューズ付きコネクタを提供することを目的とする。
【課題を解決するための手段】
【０００７】
上記のような課題を解決するために、本発明は、以下のような手段を採用している。
すなわち、請求項１に係る発明は、相互に連結・分割可能な２つの分割コネクタからなり、各分割コネクタに相手方分割コネクタと電気的に相互に接続されるコンタクトが設けられるコネクタであって、前記両分割コネクタの両コンタクト間にヒューズを着脱自在に設け、前記両分割コネクタを相互に連結することにより、前記ヒューズが前記両コンタクトに電気的に接続されることを特徴とする。
【０００８】
本発明によるコネクタによれば、両分割コネクタの両コンタクト間にヒューズを位置し、両分割コネクタを相互に連結することにより、ヒューズが両コンタクトに電気的に接続された状態で両分割コンタクト間に装着されることになる。
【０００９】
請求項２に係る発明は、請求項１に記載のコネクタであって、前記ヒューズは、前記一方の分割コネクタの空間内、前記他方の分割コネクタの空間内、又は前記両分割コネクタ間に形成される空間内に装着されるヒューズ本体と、該ヒューズ本体から引き出されて前記各コンタクトにそれぞれ接続される一対のリード部とからなることを特徴とする。
【００１０】
本発明によるコネクタによれば、ヒューズは、ヒューズ本体が一方の分割コネクタ内の空間内、他方の分割コネクタの空間内、又は両分割コネクタ間に形成される空間内に保持され、この状態で各リード部が各分割コネクタの各コンタクトにそれぞれ電気的に接続されることになる。
【００１１】
請求項３に係る発明は、請求項２に記載のコネクタであって、前記各コンタクトには、バネ性を有するリード支持穴が設けられ、該リード支持穴内に前記リード部が着脱自在に接続されることを特徴とする。
【００１２】
本発明によるコネクタによれば、リード部に多少の曲がりがあっても、リード部をリード支持穴内に挿入することにより、リード支持穴のバネ力によってリード部がヒューズ支持部３６に電気的に確実に接続されることになる。
【００１３】
請求項４に係る発明は、請求項１から３の何れかに記載のコネクタであって、前記各分割コネクタには、前記各コンタクトを支持する絶縁材からなる支持部材がそれぞれ設けられ、前記両分割コネクタを互いに連結したときに、前記両支持部材間で前記ヒューズ本体が支持されるとともに、何れか一方の分割コネクタの支持部材の先端部が何れか他方の分割コネクタの内部に嵌合されることを特徴とする。
【００１４】
本発明によるコネクタによれば、ヒューズは、ヒューズ本体が両支持部材間で支持されるとともに、何れか一方の分割コネクタの支持部材の先端部が何れか他方の分割コネクタの内部に嵌合されることにより、両分割コネクタの両コンタクト間に安定した状態で支持される。
【００１５】
請求項５に係る発明は、請求項１から４の何れかに記載のコネクタであって、前記一方の分割コネクタの軸方向の端面には被係合部が設けられるとともに、前記他方の分割コネクタの軸方向の端面には前記被係合部と相互に係合可能な係合部が設けられていることを特徴とする。
【００１６】
本発明によるコネクタによれば、一方の分割コネクタの軸方向の端面の被係合部と他方の分割コネクタの軸方向の端面の係合部とを相互に係合させることにより、両分割コネクタが周方向へ相対的に回動するのを防止することができる。従って、両分割コネクタが周方向へ相対的に回動することによるヒューズの破損等を防止できる。
【００１７】
請求項６に係る発明は、請求項１から４何れかに記載のコネクタであって、前記一方の分割コネクタの軸方向の端面には、周方向に向かって所定の間隔ごとに複数の被係合部が設けられるとともに、前記他方の分割コネクタの軸方向の端面には、前記複数の被係合部のうちの何れかの被係合部と係合可能な少なくとも１つの係合部が設けられていることを特徴とする。
【００１８】
本発明によるコネクタによれば、一方の分割コネクタの複数の被係合部のうちの任意の被係合部に他方の分割コネクタの係合部を係合させることにより、両分割コネクタの周方向への相対的な位置決めを行うことができ、例えば、何れか一方の分割コネクタに設けられるスタッド部の位置を任意に変更することができる。
【発明の効果】
【００１９】
以上、説明したように、本発明の請求項１に記載のコネクタによれば、両分割コネクタの両コンタクト間にヒューズを装着し、両分割コネクタを相互に連結することにより、ヒューズが両コンタクトに電気的に接続されることになる。従って、両分割コネクタ間へのヒューズの着脱を容易に行うことができるので、過電流によりヒューズが断線した場合のヒューズの交換作業が容易になる。
【００２０】
また、本発明の請求項２に記載のコンタクトによれば、ヒューズは、ヒューズ本体が一方の分割コネクタの空間内、他方の分割コネクタの空間内、又は両分割コネクタ間に形成される空間内に装着され、各リード部が各分割コネクタの各コンタクトにそれぞれ電気的に接続されることになるので、過電流によりヒューズ本体に断線が生じても、リード部とコンタクトとの接続部の接触状態が損なわれるようなことはない。従って、メンテナンスを必要とすることなくヒューズを交換することにより繰り返し使用することができる。
【００２１】
さらに、請求項３に記載のコンタクトによれば、リード部に多少の曲がりがあっても、リード部をリード支持穴内に挿入することにより、リード支持穴のバネ力によってリード部がヒューズ支持部に電気的に確実に接続されることになる。
【００２２】
さらに、本発明の請求項４に記載のコネクタによれば、ヒューズのヒューズ本体は、両分割コネクタの両支持部材間で支持されるとともに、両分割コネクタを相互に連結したときに、一方の分割コネクタの支持部材の先端部が他方の分割コネクタの内部に嵌合されることにより、両分割コネクタ間に安定した状態で支持されることになる。従って、ヒューズにガタが生じるようなことがないので、ヒューズ本体が破損したり、リード部とコンタクトとの接続部に接触不良が生じたりするようなことはなく、安定した性能を維持し続けることができる。
【００２３】
さらに、本発明の請求項５に記載のコネクタによれば、一方の分割コネクタの軸方向の端面の被係合部と他方の分割コネクタの軸方向の端面の係合部とを相互に係合させることにより、両分割コネクタが周方向へ相対的に回動するのを防止することができるので、両分割コネクタが周方向へ相対的に回動することによってヒューズの破損等するようなことはなく、安定した性能を維持し続けることができる。
【００２４】
さらに、本発明の請求項６に記載のコネクタによれば、一方の分割コネクタの複数の被係合部のうちの任意の被係合部に他方の分割コネクタの係合部を係合させることにより、両分割コネクタの周方向への相対的な位置決めを行うことができ、例えば、何れか一方の分割コネクタに設けられるスタッド部の位置を任意に変更することができる。
【発明を実施するための最良の形態】
【００２５】
以下、図面に示す本発明の実施の形態について説明する。
図１〜図４には、本発明によるコネクタの第１の実施の形態が示されていて、図１は全体を示す半断面図、図２は図１の一方の分割コネクタの端面図、図３は図１の他方の分割コネクタの端面図、図４はヒューズの平面図である。
【００２６】
すなわち、本実施の形態に示すコネクタ１は、ケーブル同士の接続、ケーブルと電子機器との接続等に適用可能なものであって、相互に連結・分割可能な２つの分割コネクタ２、５０を備えている。
【００２７】
一方の分割コネクタ２は、シェル３と、シェル３の内側に装着される第１支持部材１６及び第２支持部材２１と、両支持部材１６、２１によって支持されるピンコンタクト３５と、シェル３の外側に装着される接続リング２５とを備えている。
【００２８】
シェル３は、ステンレス等の金属から形成される略筒状をなすものであって、シェル３の内周面は、一端から他端（図中、左端から右端）にかけて、第１中径部４、第１中径部４よりも小径の小径部５、第１中径部４と略同径の第２中径部６、第２中径部６よりも大径の大径部７の４段に形成され、第１中径部４に後述する他方の分割コネクタ５０の第１支持部材１６の先端部が嵌合され、小径部５に後述するヒューズ４５のヒューズ本体４６が装着され、第２中径部６に第１支持部材１６が嵌合され、大径部７に第２支持部材２１の先端部が嵌合される。
【００２９】
シェル３の外周面は、一端から他端（図中、左端から右端）にかけて、中径部８、中径部８よりも大径の大径部１０、中径部８よりも小径の第１小径部１１、第１小径部１１よりも小径の第２小径部１２、第２小径部１２よりも小径の第３小径部１３の５段に形成され、第１小径部１１、第２小径部１２、第３小径部１３の外側に接続リング２５が装着されている。
【００３０】
シェル３の外周側の中径部８は所定の雄ねじ部９に形成され、この雄ねじ部９に後述する他方の分割コネクタ５０の締結リング７０が螺着されるように構成されている。
【００３１】
シェル３の軸方向の一方の端面（図中、左端面）には、図２に示すように、被係合部である複数の凹部１４がシェル３の中心を中心として放射状に設けられ、これらの複数の凹部１４のうちの何れかの凹部１４と後述する他方の分割コネクタ５０のシェル５１の軸方向の他端面（図中、右端面）に設けられる係合部である凸部５７とが相互に係合可能に構成されている。
【００３２】
接続リング２５は、ステンレス等の金属から形成される略筒状をなすものであって、長手方向の中央部に径方向内方に環状に突出する突出部２６が一体に設けられ、この突出部２６には内外周面間を貫通する長孔２７が２箇所に設けられている。接続リング２５の突出部２６の図中左側の部分には、突出部２６よりも大径の支持部２８が設けられ、この支持部２８の内周面とシェル３の外周面（第２小径部１２及び第３小径部１３の外周面）との間に、環状のワッシャ２９、環状のスプリングワッシャ３０、環状の割りワッシャ３１、及び環状のガスケット３２がそれらの順に装着されている。
【００３３】
ワッシャ２９は、外周縁部が接続リング２５の支持部２８の内周側に嵌合され、割りワッシャ３１は、内周縁部がシェル３の第３小径部１３の外周側に嵌合され、このワッシャ２９と割りワッシャ３１との間に、それらの間を広げる方向に付勢するスプリングワッシャ３０が装着されている。ガスケット３２は、シェル３の第３小径部１３の外周面上に割りワッシャ３１に密着した状態で装着されている。
【００３４】
第１支持部材１６は、絶縁材から形成される略筒状をなすものであって、外周側のほぼ全体がシェル３の内周側の第２中径部６内に嵌合されている。第１支持部材１６の外周側の軸線方向の端部（図中、右端部）には、径方向外方に環状に突出する突出部１７が一体に設けられ、この突出部１７の軸方向の端面をシェル３の大径部７の端面に当接させている。
【００３５】
第１支持部材１６の内周側には、後述するピンコンタクト３５のヒューズ支持部３６の外周側が嵌合されている。第１支持部材１６の内周側の軸線方向の端部（図中、左端部）には、径方向内方に環状に突出する突出部１８が一体に設けられ、この突出部１８の軸方向の一端面（図中、左端面）は所定の角度で面取りされてＣ面１９に形成され、このＣ面１９と後述する他方の分割コネクタ５０の第１支持部材１６のＣ面１９との間で後述するヒューズ４５のヒューズ本体４６が支持されている。
【００３６】
第１支持部材１６及び後述する第２支持部材２１を構成する材料としては、例えば、絶縁性を有する各種の合成樹脂材等が挙げられる。なお、第１支持部材１６及び後述する第２支持部材２１は、弾性を有する材料で形成することが好ましい。弾性を有する材料で形成することにより、シェル３からの振動、衝撃等を緩衝させることができるので、第１支持部材１６及び後述する第２支持部材２１によって支持されるヒューズ４５が破損等するのを防止できる。
【００３７】
第２支持部材２１は、第１支持部材１６と同様に、絶縁材から形成される略筒状をなすものであって、先端部外周側がシェル３の大径部７に嵌合されている。第２支持部材２１の先端部外周側には、径方向外方に環状に突出する凸部２２が一体に設けられ、この凸部２２をシェル３の内周側に設けられている凹部１５に係合させることにより、第２支持部材２１がシェル３から脱落するのが防止されている。第２支持部材２１の先端部内周側には、第１支持部材１６の後端部外周側が嵌合されている。
【００３８】
第２支持部材２１の内周側には径方向内方に環状に突出する突出部２３が一体に設けられ、この突出部２３の内周側に後述するピンコンタクト３５のフランジ部３８の一部が嵌合され、この突出部２３の軸方向の端面と第１支持部材１６の軸線方向の他端面との間でフランジ部３８の一部が挟持されている。
【００３９】
ピンコンタクト３５は、導電性材からなる丸棒状をなすものであって、図中左端から右端にかけて、ヒューズ支持部３６、フランジ部３８、及びピン部４１がそれらの順に設けられ、ヒューズ支持部３６が第１支持部材１６の内周側に嵌合され、フランジ部３８の一部が第２支持部材２１の突出部２３の内周側に嵌合され、フランジ部３８の一部が第２支持部材２１の突出部２３の軸方向の端面と第１支持部材１６の軸方向の他端面との間で挟持されている。
【００４０】
ピンコンタクト３５のフランジ部３８は、外周面が大径部３９と小径部４０の２段に形成され、大径部３９が第１支持部材１６の軸方向の他端面と第２支持部材２１の突出部２３の軸方向の端面との間で挟持され、小径部４０が第２支持部材２１の突出部２３の内周側に嵌合され、これにより、ピンコンタクト３５が第１支持部材１６及び第２支持部材２１から脱落するのが防止されている。
【００４１】
ピンコンタクト３５のヒューズ支持部３６の中心部には所定の深さのリード支持穴３７が設けられ、このリード支持穴３７内に後述するヒューズ４５の一方のリード部４７を挿入させることにより、一方のリード部４７がヒューズ支持部３６に電気的に接続される。
【００４２】
この場合、ヒューズ支持部３６は、先端が絞られた形状に形成されるとともに、リード支持穴３７内外を貫通する切り込みが設けられて、径方向内方へのばね力が付与されているので、このバネ力によって一方のリード部４７がリード支持穴３７内に確実に保持される。従って、一方のリード部４７に多少の曲がりがあっても、一方のリード部４７をリード支持穴３７を介してヒューズ支持部３６に電気的に確実に接続することができる。
【００４３】
ヒューズ４５は、内部にヒューズ素子が設けられるヒューズ本体４６と、ヒューズ本体４６から引き出される一対の導電性材からなるリード部４７、４８とからなり、一方のリード部４７をピンコンタクト３５のヒューズ支持部３６のリード支持穴３７内に挿入させ、ヒューズ本体４６をシェル３の内周側の小径部５に嵌合させ、他方のリード部４８を後述するソケットコンタクト６５のヒューズ支持部６８のリード支持穴６９内に挿入させることで、ピンコンタクト３５と後述するソケットコンタクト６５の間に装着される。ヒューズ４５としては、特に制限はなく、市販の各種のリード付き小型ヒューズ等のヒューズを使用することができる。
【００４４】
他方の分割コネクタ５０は、シェル５１と、シェル５１の内側に装着される第１支持部材１６及び第２支持部材６０と、両支持部材１６、６０によって支持されるソケットコンタクト６５と、シェル５１の外側に装着される締結リング７０とを備えている。
【００４５】
シェル５１は、ステンレス等の金属から形成される略筒状をなすものであって、シェル５１の内周面は、一端から他端（図中、左端から右端）にかけて、大径部５２、大径部５２よりも小径の中径部５３、中径部５３よりも小径の小径部５４の３段に形成され、小径部５４に第１支持部材１６が嵌合され、中径部５３に第２支持部材６０の先端部が嵌合されている。
【００４６】
シェル５１の外周面は、一端から他端（図中、左端から右端）にかけて、小径部５５、小径部５５よりも大径の大径部５６の２段に形成され、小径部５５及び大径部５６の外側に締結リング７０が装着されている。
【００４７】
シェル５１の軸線方向の他端面（図中、右端面）には、図３に示すように、係合部である一対の凸部５７がシェルの中心を中心として対向して設けられ、この一対の凸部５７と一方の分割コネクタ２の被係合部である複数の凹部１４のうちの任意の凹部１４とを相互に係合させることにより、一方の分割コネクタ２と他方の分割コネクタ５０との周方向の相対的な位置決めがなされる。
【００４８】
締結リング７０は、ステンレス等の金属から形成される略筒状をなすものであって、内周面が所定の雌ねじ部７１に形成され、軸線方向の一端に径方向内方に環状に突出する突出部７２が一体に設けられている。
【００４９】
一方の分割コネクタ２のシェル３の軸方向の端面（図中、左端面）と他方の分割コネクタ５０のシェル５１の軸方向の端面（図中、右端面）とを接合させ、両端面の凹部１４と凸部５７とを係合させ、締結リング７０を一方の分割コネクタ２のシェル３の雄ねじ部９に螺合させ、突出部７２が他方の分割コネクタ５０のシェル５１の大径部５６の端面に当接するまで締め付けることにより、両分割コネクタ２、５０の両シェル３、５１が締結リング７０を介して相互に連結される。
【００５０】
第１支持部材１６は、一方の分割コネクタ２の第１支持部材１６と同一材料から形成される同一構成を有するものであるので、同一部分に同一番号を付してその詳細な説明は省略するものとする。
【００５１】
第１支持部材１６は、外周側のほぼ全体がシェル５１の小径部５４に嵌合され、先端部がシェル５１を貫通して一方の分割コネクタ２のシェル３の第１中径部４内に嵌合され、外周側の突出部１７の端面をシェル５１の中径部５３の端面に当接させている。第１支持部材１６の内周側には、後述するソケットコンタクト６５のヒューズ支持部６８が嵌合されている。
【００５２】
第２支持部材６０は、第１支持部材１６と同様に、絶縁材から形成される略筒状をなすものであって、先端部の外周側がシェル５１の中径部５３に嵌合されている。第２支持部材６０の先端部外周面とシェル５１の内周面との間には環状のブッシュ６３が嵌合され、このブッシュ６３により第２支持部材６０がシェル５１から脱落するのが防止されている。
【００５３】
第２支持部材６０の内周面は、小径部６１と大径部６２の２段に形成され、小径部６１に後述するソケットコンタクト６５のソケット部６６が嵌合され、大径部６２に第１支持部材１６の後端部が嵌合され、大径部６２の端面と第１支持部材１６の軸方向の端面（左端面）との間で後述するソケットコンタクト６５のフランジ部６７が挟持されている。
【００５４】
ソケットコンタクト６５は、導電性材からなる丸棒状をなすものであって、図中左端から右端にかけて、ソケット部６６、フランジ部６７、及びヒューズ支持部６８がそれらの順に設けられ、ヒューズ支持部６８が第１支持部材１６の内周側に嵌合され、フランジ部６７が第２支持部材６０の大径部６２の端面と第１支持部材１６の軸方向の端面（左端面）との間で挟持され、ソケット部６６が第２支持部材６０の内周側に嵌合されている。
【００５５】
ヒューズ支持部６８の中心部には所定の深さのリード支持穴６９が設けられ、このリード支持穴６９内にヒューズ４５の他方のリード部４８を挿入させることにより、他方のリード部４８がヒューズ支持部６８に電気的に接続される。
【００５６】
この場合、ヒューズ支持部６９は、先端が絞られた形状に形成されるとともに、リード支持穴６９内外を貫通する切り込みが設けられて、径方向内方へのばね力が付与されているので、このバネ力によって他方のリード部４８がリード支持穴６９内に確実に保持される。従って、他方のリード部４８に多少の曲がりがあっても、他方のリード部４８をリード支持穴６９を介してヒューズ支持部６８に電気的に確実に接続することができる。
【００５７】
そして、上記のように構成した本実施の形態によるコネクタ１の一方の分割コネクタ２のシェル３の内周側にヒューズ４５を位置し、ヒューズ４５の一方のリード部４７をピンコンタクト３５のリード支持穴３７内に挿入し、ヒューズ本体４６をシェル３の小径部５に嵌合させ、この状態で一方の分割コネクタ２のシェル３の軸方向の端面（図中、左端面）に他方の分割コネクタ５０のシェル５１の軸方向の端面（図中、右端面）を接近させ、ヒューズ４５の他方のリード部４８をソケットコンタクト６５のリード支持穴６９内に挿入し、他方の分割コネクタ５０のシェル５１の軸方向の端面（図中、右端面）を一方の分割コネクタ２のシェル３の軸方向の端面（図中、左端面）に当接させ、両端面の任意の凹部１４と凸部５７とを相互に係合させ、締結リング７０を一方の分割コネクタ２のシェル３の外周側の雄ねじ部８に螺合させ、所定のトルクで締め付けることにより、一方の分割コネクタ２と他方の分割コネクタ５０とが相互に連結され、両分割コネクタ２、５０のピンコンタクト３５とソケットコンタクト６５とがヒューズ４５を介して電気的に接続される。
【００５８】
上記のように構成した本実施の形態によるコネクタにあっては、ピンコンタクト３５のリード支持穴３７にヒューズ４５の一方のリード部４７を挿入し、ソケットコンタクト６５のリード支持穴６９に他方のリード部４８を挿入し、ヒューズ本体４６をシェル３の小径部５の内側に位置し、この状態で一方の分割コネクタ２と他方の分割コネクタ５０とを連結することにより、ヒューズ４５を両分割コネクタ２、５０間に装着することができるので、ヒューズ４５の着脱が容易になる。
【００５９】
また、一方の分割コネクタ２のシェル３の内側に第１支持部材１６、第２支持部材２１、及びピンコンタクト３５を設け、他方の分割コネクタ５０のシェル５１の内側に第１支持部材１６、第２支持部材６０及びソケットコンタクト６５を設けただけの簡単な構造のものであるので、製造を容易にすることができ、製造コストを低減させることができる。
【００６０】
図５〜図７には、本発明によるコネクタの第２の実施の形態が示されていて、図５はコネクタの全体を示す半断面図、図６は図５の一方の分割コネクタの端面図、図７は図５の他方の分割コネクタの端面図である。
【００６１】
すなわち、このコネクタ８１は、前記第１の実施の形態に示すものと同様に、相互に連結・分割可能な２つの分割コネクタ８２、１２０を備えている。
【００６２】
一方の分割コネクタ８２は、シェル８３と、シェル８３の内側に装着される第１支持部材９５及び第２支持部材１００と、両支持部材９５、１００によって支持されるピンコンタクト１０５と、第１支持部材９５及び第２支持部材１００をシェル８３内に固定する固定部材１０１と、シェル８３の外側に装着される接続リング１１０とを備えている。
【００６３】
シェル８３は、ステンレス等の金属から形成される略筒状をなすものであって、シェル８３の内周面は、一端から他端（図中、左端から右端）にかけて、大径部８４、大径部８４よりも小径の中径部８５、中径部８５よりも小径の小径部８６の３段に形成され、大径部８４と中径部８５との間に固定部材１０１が嵌合され、中径部８５に第１支持部材９５が嵌合され、中径部８５と小径部８６との間に第２支持部材１００が嵌合され、大径部８４に後述する他方の分割コネクタ１２０の固定部材１０１の先端部が嵌合されている。
【００６４】
シェル８３の外周面は、一端から他端（図中、左端から右端）にかけて、中径部８７、中径部８７よりも大径の大径部８９、中径部８７よりも小径の小径部９０の３段に形成され、小径部９０の外側に接続リング１１０が装着されている。
【００６５】
シェル８３の外周側の中径部８７は所定の雄ねじ部８８に形成され、この雄ねじ部８８に後述する他方の分割コネクタ１２０の締結リング１４０が螺着されるように構成されている。
【００６６】
シェル８３の軸方向の一方の端面（図中、左端面）には、図６に示すように、被係合部である複数の凹部９２がシェル８３の中心を中心として放射状に設けられ、これらの複数の凹部９２のうちの何れかの凹部９２と後述する他方の分割コネクタ１２０のシェル１２１の軸方向の他端面（図中、右端面）に設けられる係合部である凸部１２８とが相互に係合可能に構成されている。
【００６７】
接続リング１１０は、ステンレス等の金属から形成される略筒状をなすものであって、長手方向の一端部がシェル８３の小径部９０の外側に被嵌されている。接続リング１１０の内周側には環状の弾性部材１１２の外周部が被嵌され、この弾性部材１１２はシェル８３の小径部９０の外周面に設けられた溝９１内に係合されている。
【００６８】
第１支持部材９５は、絶縁材から形成される略筒状をなすものであって、外周側に径方向外方に環状に突出するフランジ部９６が一体に設けられ、このフランジ部９６をシェル８３の内周側の中径部８５に嵌合させることで、シェル８３の内周側に取り付けられている。
【００６９】
第１支持部材９５の内周側には、後述するピンコンタクト１０５のヒューズ支持部１０６の外周側が嵌合されている。第１支持部材９５の内周側の軸線方向の端部（図中、左端部）には、径方向内方に環状に突出する突出部９７が一体に設けられ、この突出部９７の軸方向の一端面（図中、左端面）は所定の角度で面取りされてＣ面９８に形成され、このＣ面９８と後述する他方の分割コネクタ１２０の第１支持部材９５のＣ面９８との間で後述するヒューズ４５のヒューズ本体４６が支持されている。
【００７０】
第１支持部材９５及び後述する第２支持部材１００を構成する材料としては、前記第１の実施の形態に示すものと同様に、例えば、絶縁性を有する各種の合成樹脂材等が挙げられ、弾性を有する材料で形成することが更に好ましい。
【００７１】
第２支持部材１００は、略筒状をなすものであって、外周側の全体がシェル８３の小径部８６に嵌合されるとともに、先端部が中径部８５の軸方向の端面（図中、右側の端面）と第１支持部材９５のフランジ部９６の端面との間に嵌合され、これにより、第２支持部材１００がシェル８３から脱落するのが防止されている。
【００７２】
固定部材１０１は、ステンレス等の金属からなる略筒状をなすものであって、外周面が大径部１０２と小径部１０３の２段に形成され、小径部１０３がシェル８３の中径部８５の第１支持部材９５のフランジ部９６の左側の部分に嵌合され、大径部１０２がシェル８３の大径部８４に嵌合され、この固定部材１０１の外側のシェル８３の大径部８４の部分に後述する他方の分割コネクタ１２０の固定部材１０１の先端部が嵌合されている。そして、一方の分割コネクタ８２の固定部材１０１と他方の分割コネクタ１２０の固定部材１０１との協働により、一方の分割コネクタ８２の第１支持部材９５及び第２支持部材１００、他方の分割コネクタ１２０の第１支持部材９５及び第２支持部材１００が各シェル８３、１２１内に固定される。
【００７３】
ピンコンタクト１０５は、第１の実施の形態に示すものと同様に、導電性材からなる丸棒状をなすものであって、図中左端から右端にかけて、ヒューズ支持部１０６、フランジ部１０８、及びピン部１０９がそれらの順に設けられ、ヒューズ支持部１０６が第１支持部材９５の内周側に嵌合され、フランジ部１０８が第１支持部材９５の軸方向の端面（図中、右端面）と第２支持部材１００の軸方向の端面（図中、左端面）との間で挟持され、ピン部１０９が先端部を残して第２支持部材１００の内周側に嵌合されている。
【００７４】
ピンコンタクト１０５のヒューズ支持部１０６の中心部には所定の深さのリード支持穴１０７が設けられ、このリード支持穴１０７内にヒューズ４５の一方のリード部４７を挿入させることにより、一方のリード部４７がヒューズ支持部１０６に電気的に接続される。
【００７５】
この場合、ヒューズ支持部１０６は、先端が絞られた形状に形成されるとともに、リード支持穴１０７内外を貫通する切り込みが設けられて、径方向内方へのばね力が付与されているので、このバネ力によって一方のリード部４７がリード支持穴１０７内に確実に保持される。従って、一方のリード部４７に多少の曲がりがあっても、一方のリード部４７をリード支持穴１０７を介してヒューズ支持部１０６に電気的に確実に接続することができる。
【００７６】
ヒューズ４５は、第１の実施の形態で使用したヒューズ４５と同様の構成を有するものであって、内部にヒューズ素子が設けられるヒューズ本体４６と、ヒューズ本体４６から引き出される一対の導電性材からなるリード部４７、４８とからなり、一方のリード部４７をピンコンタクト１０５のヒューズ支持部１０６のリード支持穴１０７内に挿入させ、ヒューズ本体４６を固定部材１０１、１０１の内周側に嵌合させ、他方のリード部４８を後述するソケットコンタクト１３０のヒューズ支持部１３３のリード支持穴１３４内に挿入させることで、ピンコンタクト１０５と後述するソケットコンタクト１３０の間に装着される。
【００７７】
他方の分割コネクタ１２０は、シェル１２１と、シェル１２１の内側に装着される第１支持部材９５及び第２支持部材１００と、両支持部材９５、１００によって支持されるソケットコンタクト１３０と、第１支持部材９５及び第２支持部材１００をシェル１２１内に固定する固定部材１０１と、シェル１２１の外側に装着される締結リング１４０とを備えている。
【００７８】
シェル１２１は、ステンレス等の金属から形成される略筒状をなすものであって、シェル１２１の内周面は、一端から他端（図中、左端から右端）にかけて、小径部１２２、小径部１２２よりも大径の中径部１２３、中径部１２３よりも大径の大径部１２４の３段に形成され、小径部１２２と中径部１２３との間に第２支持部材１００が嵌合され、中径部１２３に第１支持部材９５が嵌合され、中径部１２３と大径部１２４との間に固定部材１０１が嵌合されている。
【００７９】
シェル１２１の外周面は、一端から他端（図中、左端から右端）にかけて、小径部１２５、小径部１２５よりも大径の中径部１２６、中径部１２６よりも大径の大径部１２７の３段に形成され、中径部１２６及び大径部１２７の外側に締結リング１４０が装着されている。
【００８０】
シェル１２１の軸線方向の他端面（図中、右端面）には、図７に示すように、係合部である一対の凸部１２８、１２８がシェル１２１の中心を中心として対向して設けられ、この一対の凸部１２８、１２８と一方の分割コネクタ８２の被係合部である複数の凹部９２のうちの任意の凹部９２とを相互に係合させることにより、一方の分割コネクタ８２と他方の分割コネクタ１２０との周方向の相対的な位置決めがなされる。
【００８１】
締結リング１４０は、第１の実施の形態に示すものと同様に、ステンレス等の金属から形成される略筒状をなすものであって、内周面が所定の雌ねじ部１４１に形成され、軸線方向の一端に径方向内方に環状に突出する突出部１４２が一体に設けられている。
【００８２】
一方の分割コネクタ８２のシェル８３の軸方向の端面（図中、左端面）と他方の分割コネクタ１２０のシェル１２１の軸方向の端面（図中、右端面）とを接合させ、両端面の凹部９２と凸部１２８とを係合させ、締結リング１４０を一方の分割コネクタ８２のシェル８３の雄ねじ部８８に螺合させ、突出部１４２が他方の分割コネクタ１２０のシェル１２１の大径部１２７の端面に当接するまで締め付けることにより、両分割コネクタ８２、１２０の両シェル８３、１２１が締結リング１４０を介して相互に連結される。
【００８３】
第１支持部材９５は、一方の分割コネクタ８２の第１支持部材９５と同一構成を有するものであるので、同一部分に同一番号を付してその詳細な説明は省略するものとする。
【００８４】
第１支持部材９５は、外周側のフランジ部９６をシェル１２１の中径部１２３に嵌合させることにより、シェル１２１の内周側に取り付けられている。第１支持部材９５の内周側には、後述するソケットコンタクト１３０のヒューズ支持部１３３の外周側が嵌合されている。他方の分割コネクタ１２０の第１支持部材９５の軸線方向の一端のＣ面９８と一方の分割コネクタ８２の第１支持部材９５のＣ面９８との間でヒューズ４５のヒューズ本体４６が支持されている。
【００８５】
第２支持部材１００は、一方の分割コネクタ８２の第２支持部材１００と同様の構成を有するものであって、外周側の全体がシェル１２１の小径部１２２に嵌合されるとともに、先端部が中径部１２３の軸方向の端面（図中、左側の端面）と第１支持部材９５のフランジ部９６の端面との間に嵌合され、これにより、第２支持部材１００がシェル１２１から脱落するのが防止されている。
【００８６】
固定部材１０１は、一方の分割コネクタ８２の固定部材１０１と同様の構成を有するものであって、小径部１０３がシェル１２１の中径部１２３の第１支持部材９５のフランジ部９６の右側の部分に嵌合され、大径部１０２がシェル１２１の大径部１２４及び一方の分割コネクタ８２のシェル８３の大径部８４に嵌合され、この他方の分割コネクタ１２０の固定部材１０１と一方の分割コネクタ８２の固定部材１０１との協働により、他方の分割コネクタ１２０の第１支持部材９５及び第２支持部材１００、一方の分割コネクタ８２の第１支持部材９５及び第２支持部材１００が各シェル１２１、８３内に固定される。
【００８７】
ソケットコンタクト１３０は、第１の実施の形態に示すものと同様に、導電性材からなる丸棒状をなすものであって、図中左端から右端にかけて、ソケット部１３１、フランジ部１３２、及びヒューズ支持部１３３がそれらの順に設けられ、ヒューズ支持部１３３が第１支持部材９５の内周側に嵌合され、フランジ部１３２が第１支持部材９５の軸方向の端面（図中、左端面）と第２支持部材１００の軸方向の端面（図中、右端面）との間で挟持され、ソケット部１３１が第２支持部材１００の内周側に嵌合されている。
【００８８】
ソケットコンタクト１３０のヒューズ支持部１３３の中心部には所定の深さのリード支持穴１３４が設けられ、このリード支持穴１３４内にヒューズ４５の他方のリード部４８を挿入させることにより、他方のリード部４８がヒューズ支持部１３３に電気的に接続される。
【００８９】
この場合、ヒューズ支持部１３３は、先端が絞られた形状に形成されるとともに、リード支持穴１３４内外を貫通する切り込みが設けられて、径方向内方へのばね力が付与されているので、このバネ力によって他方のリード部４８がリード支持穴１３４内に確実に保持される。従って、他方のリード部４８に多少の曲がりがあっても、他方のリード部４８をリード支持穴１３４を介してヒューズ支持部１３３に電気的に確実に接続することができる。
【００９０】
そして、上記のように構成した本実施の形態によるコネクタ８１の一方の分割コネクタ８２及び他方の分割コネクタ１２０の両固定部材１０１、１０１の内周側にヒューズ４５のヒューズ本体４６を位置し、一方のリード部４７をピンコンタクト１０５のリード支持穴１０７内に挿入し、他方のリード部４８をソケットコンタクト１３０のシード支持穴１３４内に挿入し、一方の分割コネクタ８２のシェル８３の軸方向の端面（図中、左端面）に他方の分割コネクタ１２０のシェル１２１の軸方向の端面（図中、右端面）を接近させて、両他端面同士を当接させて両端面の任意の凹部９２と凸部１２８とを相互に係合させ、締結リング１４０を一方の分割コネクタ８２のシェル８３の外周側の雄ねじ部８８に螺合させ、所定のトルクで締め付けることにより、一方の分割コネクタ８２と他方の分割コネクタ１２０とが相互に連結され、両分割コネクタ８２、１２０のピンコンタクト１０５とソケットコンタクト１３０とがヒューズ４５を介して電気的に接続される。
【００９１】
上記のように構成した本実施の形態によるコネクタ８１にあっては、ピンコンタクト１０５のリード支持穴１０７にヒューズ４５の一方のリード部４７を挿入し、ソケットコンタクト１３０のリード支持穴１３４に他方のリード部４８を挿入し、ヒューズ本体４６を両固定部材１０１、１０１の内側に位置し、この状態で一方の分割コネクタ８２と他方の分割コネクタ１２０とを連結することにより、ヒューズ４５を両分割コネクタ８２、１２０間に装着することができるので、ヒューズ４５の着脱が容易になる。
【００９２】
また、一方の分割コネクタ８２のシェル８３の内側に固定部材１０１、第１支持部材９５、第２支持部材１００、及びピンコンタクト１０５を設け、他方の分割コネクタ１２０のシェル１２１の内側に固定部材１０１、第１支持部材９５、第２支持部材１００及びソケットコンタクト１３０を設けただけの簡単な構造のものであるので、製造を容易にすることができ、製造コストを低減させることができる。
【図面の簡単な説明】
【００９３】
【図１】本発明によるコネクタの第１の実施の形態の全体を示した半断面図である。
【図２】図１の一方の分割コネクタの端面図である。
【図３】図１の他方の分割コネクタの端面図である。
【図４】ヒューズの平面図である。
【図５】本発明によるコネクタの第２の実施の形態の全体を示した半断面図である。
【図６】図５の一方の分割コネクタの端面図である。
【図７】図５の他方の分割コネクタの端面図である。
【符号の説明】
【００９４】
１、８１  コネクタ                ２、８２  一方の分割コネクタ
３、５１、８３  シェル            ４  第１中径部
５  小径部                        ６  第２中径部
７、１０  大径部                  ８、５３、８５、８７  中径部
９、８８  雄ねじ部                １１  第１小径部
１２  第２小径部                  １３  第３小径部
１４、９２  被係合部（凹部）      １５  凹部
１６、９５  第１支持部材          １７、１８、２３、２６  突出部
１９、９８  Ｃ面                  ２１、１００  第２支持部材
２２  凸部                        ２５、１１０  接続リング
２７  長孔                        ２８  支持部
２９  ワッシャ                    ３０  スプリングワッシャ
３１  割りワッシャ                ３２  ガスケット
３５  ピンコンタクト              ３６、６８  ヒューズ支持部
３７、６９  リード支持穴          ３８  ６７、９６  フランジ部
３９、５２、５６、６２、８４、８９  大径部
４０、５４、５５、６１、８６、９０  小径部
４１、１０９  ピン部              ４５  ヒューズ
４６  ヒューズ本体                ４７、４８  リード部
５０、１２０  他方の分割コネクタ  ５７、１２８  係合部（凸部）
６０  第２支持部材                ６３  ブッシュ
６５、１３０  ソケットコンタクト  ６６、１３１  ソケット部
７０、１４０  締結リング          ７１、１４１  雌ねじ部
７２  突出部                      ９７  突出部
９１  溝                          １０１  固定部材
１０２、１２４、１２７  大径部    １０３、１２２、１２５  小径部
１０５  ピンコンタクト            １０６、１３３  ヒューズ支持部
１０７、１３４  リード支持穴      １０８、１３２  フランジ部
１１２  弾性部材                  １２１  シェル
１２３、１２６  中径部            １４２  突出部
【図１】
2007027049.tif 000003
【図２】
2007027049.tif 000004
【図３】
2007027049.tif 000005
【図４】
2007027049.tif 000006
【図５】
2007027049.tif 000007
【図６】
2007027049.tif 000008
【図７】
2007027049.tif 000009